(57)【要約】【要  約】【課  題】  安価な手段で鉄基粉末の流動性や充填性の改善と圧粉体の抜出力の低減とを両立させ、圧粉体や焼結体の生産性向上と歩留り向上とを達成できる粉末冶金技術に用いて好適な粉末冶金用鉄基粉末を提供する。【解決手段】  無機物，炭材および有機物の中から選ばれる１種または２種以上の多孔質粒子と、有機結合剤を介して鉄粉の表面に合金用粉末を付着させた合金成分外装鉄粉と、潤滑剤と、を混合してなる粉末冶金用鉄基粉末である。【選択図】        図１
2008266776.tif 000002
【特許請求の範囲】
【請求項１】
無機物、炭材および有機物の中から選ばれる１種または２種以上の粒径１〜100μｍの多孔質粒子が潤滑剤を内包し、前記多孔質粒子と鉄粉とを混合してなることを特徴とする粉末冶金用鉄基混合粉末。
【請求項２】
前記多孔質粒子が、粒子径１〜500ｎｍの一次微粒子の集合体であることを特徴とする請求項１に記載の粉末冶金用鉄基混合粉末。
【請求項３】
前記多孔質粒子が、連結したチャンネル構造を有することを特徴とする請求項１に記載の粉末冶金用鉄基粉末。
【請求項４】
前記潤滑剤の割合が、前記多孔質粒子100質量部に対して20〜400質量部であることを特徴とする請求項１〜３のいずれか一項に記載の粉末冶金用鉄基混合粉末。
【請求項５】
前記潤滑剤が、金属石鹸、ビスアミド、脂肪酸アミド、脂肪酸、液状潤滑剤および熱可塑性樹脂の中から選ばれる１種または２種以上であることを特徴とする請求項１〜４のいずれか一項に記載の粉末冶金用鉄基混合粉末。
【請求項６】
前記無機物が、SiＯ2、TiＯ2、Fe2Ｏ3およびMgＯ・Al2Ｏ3・ｘSiＯ2・ｙＨ2Ｏ，タルクの中から選ばれる１種の粉末または２種以上の混合粉末であることを特徴とする請求項１〜５のいずれか一項に記載の粉末冶金用鉄基混合粉末。
【請求項７】
前記鉄粉が、その表面に有機結合剤を介して合金用粉末を付着させてなることを特徴とする請求項１〜６のいずれか一項に記載の粉末冶金用鉄基粉末。
【請求項８】
遊離潤滑剤を含有することを特徴とする請求項１〜７のいずれか一項に記載の粉末冶金用鉄基粉末。
【発明の詳細な説明】
【技術分野】
【０００１】
本発明は、粉末冶金技術に用いて好適な鉄基混合粉末に関するものである。
【背景技術】
【０００２】
粉末冶金技術に用いる鉄基混合粉末は、基本成分となる鉄粉に、合金成分を含有する金属粉末（以下、合金用粉末という）と潤滑剤とを混合して製造される。その際、一般に合金用粉末として黒鉛粉末，銅粉末，リン化鉄粉末等が使用され、潤滑剤としてステアリン酸亜鉛，ステアリン酸リチウム等が使用される。また、必要に応じて切削性改善用粉末（たとえばMnＳ等）を添加する場合もある。
【０００３】
このような鉄基混合粉末を粉末冶金技術に適用するにあたって、鉄基混合粉末を金型に充填し、加圧成形して製造した成形体（以下、圧粉体という）を金型から取り出して焼結する。しかしながら鉄粉，合金用粉末，潤滑剤，切削性改善用粉末は各々の特性（すなわち粒径，形状，比重等）が異なるので、混合して得た鉄基混合粉末を輸送し、さらにホッパーへ装入およびホッパーから排出することによって、合金用粉末，潤滑剤，切削性改善用粉末等が鉄基混合粉末中で偏析を生じるという問題があった。
【０００４】
偏析が生じた鉄基混合粉末から圧粉体を製造すると、単一の圧粉体にて特性（すなわち成分，密度）の均一な分布が得られず、しかも複数の圧粉体間で特性のバラツキが生じる。したがって、そのような圧粉体を焼結した焼結体は寸法や強度が不均一になり、焼結体の歩留りが低下するのは避けられない。
そこで鉄基混合粉末における鉄粉，合金用粉末，潤滑剤，切削性改善用粉末の偏析を防止する技術が種々検討されている。たとえば特許文献１〜３には鉄粉の表面に予め合金用粉末を付着させる技術が開示され、特許文献４には遊離潤滑剤を添加し、偏析防止粉の流出性を改善せしめる技術が開示されている。
【０００５】
また特許文献５には、所定の粒度分布を有する鉄粉を用いて鉄基混合粉末を製造する技術が開示されている。この技術は、鉄基粉末を金型に充填する際の充填性を改善することによって、圧粉体の特性のバラツキを防止し、ひいては焼結体の歩留り低下を防止するものである。
しかしながら鉄基混合粉末の流動性や金型への充填性を高めると、圧粉体を金型から取り出す際の押圧力（以下、抜出力という）が増加しやすいことが一般に知られている。つまり、流動性や充填性を高めた鉄基混合粉末を用いると抜出力が増加し、圧粉体の取り出しに長時間を要することによる生産性低下や圧粉体に欠損が生じることによる歩留り低下を招くことが多い。
【０００６】
圧粉体の抜出力を低減するためには、鉄基混合粉末を加圧成形する温度にて軟質で延伸性を有する潤滑剤を使用することが有効である。その理由は、加圧成形によって潤滑剤が鉄基混合粉末から滲出して金型表面に付着し、金型と圧粉体との摩擦力を低減するからである。ところが、そのような潤滑剤は延伸性を有する故に、鉄粉や合金用粉末の粒子にも付着し易く、鉄基混合粉末の流動性や充填性を阻害するのである。
【０００７】
したがって、鉄基混合粉末の流動性や充填性の改善と圧粉体の抜出力の低減とを両立させることは困難である。この問題に対して、抜出力を低減する潤滑剤を核とし、流動性を改善する潤滑剤を被覆した二層構造の潤滑剤が検討されている。しかし、そのような潤滑剤は製造コストが上昇する。しかも潤滑剤の粒子寸法が増大し加圧成形にて潰れ難くなるので、圧粉体中に潤滑剤の粒子が残留し、焼結によって燃焼あるいは気化して空洞となる。こうして発生する空洞は焼結体の欠陥であり、焼結体の歩留り低下を招く。
【特許文献１】特開平1-219101号公報
【特許文献２】特開平2-217403号公報
【特許文献３】特開平3-162502号公報
【特許文献４】特開平5-148505号公報
【特許文献５】特開2002-280103号公報
【発明の開示】
【発明が解決しようとする課題】
【０００８】
本発明は、安価な手段で鉄基混合粉末の流動性や充填性の改善と圧粉体の抜出力の低減とを両立させ、成形工程や焼結工程の生産性向上と圧粉体や焼結体の歩留り向上とを達成できる粉末冶金技術に用いて好適な鉄基混合粉末（以下、粉末冶金用鉄基混合粉末という）を提供することを目的とする。
【課題を解決するための手段】
【０００９】
本発明は、無機物，炭材および有機物の中から選ばれる１種または２種以上の粒径１〜100μｍの多孔質粒子が潤滑剤を内包し、多孔質粒子と鉄粉とを混合してなる粉末冶金用鉄基混合粉末である。
本発明の粉末冶金用鉄基混合粉末においては、多孔質粒子が、粒子径１〜500ｎｍの一次微粒子の集合体であることが好ましい。あるいは、多孔質粒子が連結したチャンネル構造を有するものであることが好ましい。
【００１０】
また、潤滑剤の割合が、多孔質粒子100質量部に対して20〜400質量部であることが好ましい。その潤滑剤は、金属石鹸，ビスアミド，脂肪酸アミド，脂肪酸，液状潤滑剤および熱可塑性樹脂の中から選ばれる１種または２種以上であることが好ましい。
使用する無機物は、SiＯ2，TiＯ2，Fe2Ｏ3およびMgＯ・Al2Ｏ3・ｘSiＯ2・ｙＨ2Ｏ，タルクの中から選ばれる１種の粉末または２種以上の混合粉末であることが好ましい。
【００１１】
また、使用する鉄粉の表面に有機結合剤を介して合金用粉末が付着していることが好ましい。その有機結合剤は、脂肪酸アミドおよび金属石鹸の中から選ばれる１種または２種であることが好ましい。
【発明の効果】
【００１２】
本発明によれば、安価な手段で、粉末冶金用鉄基混合粉末の流動性や充填性の改善と圧粉体の抜出力の低減とを両立できる。したがって圧粉体や焼結体の生産性向上と歩留り向上とを達成でき、しかも大型かつ複雑な形状を有する焼結製品の製造が可能となる。
【発明を実施するための最良の形態】
【００１３】
本発明の粉末冶金用鉄基混合粉末は、多孔質粒子と鉄粉と合金用粉末と潤滑剤とを混合したものである。
まず、本発明で使用する多孔質粒子について説明する。
多孔質粒子は、その粒子体内に空隙を内在させたものであり、その製法は特に限定しない。ただし、
(A)図２(a)に示すような、粒子径１〜500ｎｍの微粉末（以下、一次微粒子という）を造粒して得た多孔質粒子
または
(B)図２(b)に示すような、ゼオライトに代表される連結したチャンネル構造を予め有する多孔質粒子
を使用することが好ましい。
【００１４】
ここで上記の(A)について説明する。
この多孔質粒子は、無機物，炭材および有機物の中から選ばれる１種または２種以上の一次微粒子を造粒して得られるものであり、一次微粒子の集合体である。一次微粒子の粒子径が１ｎｍ（ナノメートル）未満では、一次微粒子の粒子間の空隙が微小になるので、十分な量の潤滑剤を保持できず、抜出力低減の効果が得られない。しかも、貯蔵や搬送の際に目詰まりを起こし、操業に支障を来たすばかりでなく、極めて微細な一次微粒子は、その製造コストの上昇を招く。一方、500ｎｍを超えると、一次微粒子の粒子間の空隙が拡大するので潤滑剤が流出し易くなり、十分な量の潤滑剤を保持できず、抜出力低減の効果が得られない。したがって、一次微粒子の粒子径は１〜500ｎｍの範囲内が好ましい。より好ましくは１〜20ｎｍである。
【００１５】
この一次微粒子を造粒して多孔質粒子としても良い。多孔質粒子の粒径が１μｍ未満では、粉末冶金用鉄基混合粉末を加圧成形する際に、潤滑剤を内包する多孔質粒子が鉄基混合粉末の間隙に偏析して圧壊され難くなり、内包された潤滑剤が放出され難くなるので、抜出力低減の効果が得られない。一方、100μｍを超えると、圧粉体中に多孔質粒子がそのままの形状で残存し、圧粉体を焼結して得られる焼結体の欠陥となり、焼結体の強度低下の原因になる。したがって、多孔質粒子の粒径は１〜100μｍの範囲内とする。上記の欠点をより減少させるためには、好ましくは１〜40μｍの範囲内、より好ましくは10〜25μｍの範囲内である。
【００１６】
多孔質粒子の素材である無機物の一次粒子は、特に材質を限定しないが、金属酸化物微粉末を使用することが好ましい。金属酸化物微粉末の種類は、SiＯ2，TiＯ2，Fe2Ｏ3，MgＯ・Al2Ｏ3・ｘSiＯ2・ｙＨ2Ｏの微粉末を用いることが好ましい。これらの金属酸化物の微粉末をそれぞれ単独で使用しても良いし、あるいは２種以上を併用しても良い。
無機物微粉末を造粒して多孔質粒子を製造する際に、無機物微粉末に潤滑剤を添加することが好ましい。その潤滑剤の種類は、金属石鹸（たとえばステアリン酸亜鉛，ステアリン酸マンガン，ステアリン酸リチウム等），ビスアミド（たとえばエチレンビスステアリン酸アミド等），モノアミドを含む脂肪酸アミド（たとえばステアリン酸モノアミド，エルカ酸アミド等），脂肪酸（たとえばオレイン酸，ステアリン酸等），液状潤滑剤（たとえばリン酸エステル，ポリオールエステル，鉱油，ポリグリコール等），熱可塑性樹脂（たとえばポリアミド，ポリエチレン，ポリアセタール等）が、圧粉体の抜出力を低減する効果を有するので好ましい。
【００１７】
ただし脂肪酸や液状潤滑剤のような室温で液体となる潤滑剤は、無機物微粉末の粒子間に液架橋を生じて、粒子同士が付着し凝集するので、流動性が低下する惧れがある。また、脂肪酸アミドのようなワックス系の潤滑剤は、室温で固体であるが、粘着性が高いので、粒子同士が付着し凝集するので、流動性が低下する惧れがある。無機物微粉末を造粒する際に添加する潤滑剤は、これらの特性を考慮して適宜選択する。その際、それぞれ単独で使用しても良いし、あるいは２種以上を併用しても良い。
【００１８】
あるいは、無機物微粉末を造粒した多孔質粒子に潤滑剤を含浸させても良い。その潤滑剤の種類は、金属石鹸（たとえばステアリン酸亜鉛，ステアリン酸マンガン，ステアリン酸リチウム等），ビスアミド（たとえばエチレンビスステアリン酸アミド等），モノアミドを含む脂肪酸アミド（たとえばステアリン酸モノアミド，エルカ酸アミド等），脂肪酸（たとえばオレイン酸，ステアリン酸等），液状潤滑剤（たとえばリン酸エステル，ポリオールエステル，鉱油，ポリグリコール等），熱可塑性樹脂（たとえばポリアミド，ポリエチレン，ポリアセタール等）が、圧粉体の抜出力を低減する効果を有するので好ましい。
【００１９】
脂肪酸や液状潤滑剤は、多孔質粒子に含浸させ易いので好ましい。無機物微粉末を造粒して得た多孔質粒子に含浸させる潤滑剤は、これらの特性を考慮して、それぞれ単独で使用しても良いし、あるいは２種以上を併用しても良い。
また、無機物微粉末に潤滑剤を添加して造粒しても良い。このようにしても、潤滑剤を内包する多孔質粒子を得ることができる。
【００２０】
潤滑剤の添加量（合計）が、無機物微粉末100質量部に対して20質量部未満では、圧粉体の抜出力を低減する効果が得られない。一方、400質量部を超えると、無機物微粉末粒子あるいは多孔質粒子が凝集するので、流動性が低下する惧れがある。したがって、無機物微粉末を造粒する際に添加する潤滑剤と、無機物微粉末を造粒して得た多孔質粒子に含浸させる潤滑剤と、の合計含有量は無機物微粉末100質量部に対して20〜400質量部の範囲内とすることが好ましい。
【００２１】
多孔質粒子の素材である炭材は、Ｃを主成分とするものであれば良く、特に材質を限定しない。ただし、安価で容易に入手できる天然黒鉛粉，人造黒鉛粉，コークス粉等を使用することが好ましい。これらの微粉末は、それぞれ単独で使用しても良いし、あるいは２種以上を併用しても良い。
多孔質粒子の素材である有機物は、特に材質を限定しないが、セルロース，乳糖，ポリテトラフルオロエチレン，ポリエチレン，アクリル系ポリマー，メタアクリル系ポリマー等を使用することが好ましい。これらの微粉末は、それぞれ単独で使用しても良いし、あるいは２種以上を併用しても良い。
【００２２】
ここで上記の(B)について説明する。
無機物の多孔質粒子としては、ケイ酸ゾルの重合と二次的な凝集によって得られる多孔質シリカ，ゼオライト等が好適である。炭材の多孔質粒子としては、木材のおが屑を高温でガスや薬品に反応させることによって得られる活性炭等が好適である。有機物の多孔質粒子としては、セルロース，グルコース，澱粉，カルボキシメチルセルロース等に加えて、特開2006-131738号公報に記載された方法で得られるメタアクリル系の中空多孔質重合体粒子が好適である。
【００２３】
これらの多孔質粒子に、(A)と同様に潤滑剤を含浸させる。使用する潤滑剤および含浸技術は(A)と同じであるから説明を省略する。
次に、本発明で使用する鉄粉について説明する。
鉄粉は、有機結合剤を介してその表面に合金用粉末や切削性改善粉末を付着させたもの（以下、合金成分外装鉄粉という）が好ましい。鉄粉の表面に合金用粉末や切削性改善粉末を付着させることによって、合金用粉末や切削性改善粉末の偏析を防止する。使用する鉄粉の特性は限定せず、圧粉体を焼結した焼結製品に要求される仕様に応じて適宜選択する。
【００２４】
有機結合剤の種類は、脂肪酸アミド，金属石鹸を用いることが好ましい。これらの有機結合剤をそれぞれ単独で使用しても良いし、あるいは２種を併用しても良い。
有機結合剤の添加量が0.05質量％未満では、鉄粉の表面に合金用粉末や切削性改善粉末を均一かつ十分に付着できない。一方、0.6質量％を超えると、鉄粉同士が付着し凝集するので、流動性が低下する惧れがある。したがって、有機結合剤の添加量は0.05〜0.6質量％の範囲内とするのが好ましい。なお、有機結合剤の添加量（質量％）は、粉末冶金用鉄基粉末の質量に占める有機結合剤の比率を指す。
【００２５】
合金用粉末の種類は、黒鉛粉末，銅粉末，Ni粉末が用いられ、切削性改善用粉末はMnＳ粉末等が用いられる。これらの合金用粉末あるいは切削性改善用粉末をそれぞれ単独で使用しても良いし、あるいは２種を併用しても良い。
さらに遊離潤滑剤を添加すると、粉末冶金用鉄基混合粉の流動性を向上させることが可能である。遊離潤滑剤は、多孔質粒子に内包させた潤滑剤とは別に添加し、その添加量は粉末冶金用鉄基混合粉の質量に占める割合で0.05〜0.5質量％の範囲内が好ましい。遊離潤滑剤の種類は、金属石鹸（たとえばステアリン酸亜鉛，ステアリン酸マンガン，ステアリン酸リチウム等），ビスアミド（たとえばエチレンビスステアリン酸アミド等），モノアミドを含む脂肪酸アミド（たとえばステアリン酸モノアミド，エルカ酸アミド等），脂肪酸（たとえばオレイン酸，ステアリン酸等），熱可塑性樹脂（たとえばポリアミド，ポリエチレン，ポリアセタール等）が、圧粉体の抜出力を低減する効果を有するので好ましい。
【００２６】
以上のようにして得た多孔質粒子と合金成分外装鉄粉と遊離潤滑剤等を混合して、粉末冶金用鉄基混合粉末を得る。混合装置は、従来から知られている攪拌翼型ミキサー（たとえばヘンシェルミキサー等）や容器回転型ミキサー（たとえばＶ型ミキサー，ダブルコーンミキサー等）が使用できる。この粉末冶金用鉄基混合粉末は優れた流動性と充填性を有し、かつ圧粉体の抜出力を低減できる。しかも、安価な材料を用いて粉末冶金用鉄基混合粉末を製造できる。
【実施例】
【００２７】
鉄粉の表面に有機結合剤を介して合金用粉末を付着させて合金成分外装鉄粉とした。使用した有機結合剤とその添加量は表１に示す通りである。なお、有機結合剤の添加量（質量％）は、粉末冶金用鉄基混合粉末の質量に占める有機結合剤の比率を指す。合金用粉末は、銅粉末と黒鉛粉末を使用し、その添加量はそれぞれCu：２質量％，Ｃ：0.8質量％である。なお、Cu，Ｃの添加量（質量％）は、粉末冶金用鉄基混合粉末の質量に占めるCu，Ｃの比率を指す。
【００２８】
【表１】
2008266776.tif 000003
【００２９】
また表２に示す金属酸化物微粉末を造粒して多孔質粒子とした。造粒時に添加した潤滑剤の種類とその添加量は表２に示す通りである。なお、造粒時に添加した潤滑剤の添加量（質量％）は、粉末冶金用鉄基混合粉末の質量に占める潤滑剤の比率を指す。
得られた多孔質粒子の粒径は表２に示す通りである。また、多孔質粒子に内包させた潤滑剤とは別に遊離潤滑剤を使用した。遊離潤滑剤の種類とその添加量は表２に示す通りである。なお、遊離潤滑剤の添加量（質量％）は、粉末冶金用鉄基混合粉末の質量に占める潤滑剤の比率を指す。
【００３０】
造粒時に添加した潤滑剤と遊離潤滑剤との合計量を、金属酸化物微粉末100質量部に対する割合で表２に示す。
【００３１】
【表２】
2008266776.tif 000004
【００３２】
これらの合金成分外装鉄粉と多孔質粒子と遊離潤滑剤とを混合して粉末冶金用鉄基混合粉末とし、その充填性を図１に示す充填試験機で調査した。
粉末冶金用鉄基混合粉末の充填試験を行なうにあたって、図１に示すように粉末冶金用鉄基混合粉末１を収容した粉箱２を速度200mm／秒で移動し、キャビティー３（長さ20mm，深さ40mm，幅0.5mm）上で0.5秒停止して粉末冶金用鉄基混合粉末１をキャビティー３に充填した。なお、図１中の矢印Ｘは粉箱２の移動方向を示す。
【００３３】
次にキャビティー３内の粉末冶金用鉄基混合粉末１の質量を測定し、キャビティー３の体積から粉末冶金用鉄基混合粉末１の充填密度を算出した。その充填密度を、充填前の粉末冶金用鉄基混合粉末１の見掛け密度（ＪＩＳ規格Z2504に準拠して測定した値）に対する比率（以下、充填率という）に換算して表３に示す。表３の充填率は充填試験10回の平均値である。また充填率のバラツキを標準偏差で併せて示す。なお充填率は、大きいほど充填性が良いことを示しており、100％は完全に充填されたことを意味する。
【００３４】
【表３】
2008266776.tif 000005
【００３５】
表３から明らかなように、発明例は、比較例に比べて充填率が高く、しかもバラツキが小さかった。
次いで、粉末冶金用鉄基混合粉末１を金型（外径11mm，高さ11mm）に充填し、室温で圧力588MPaを加えて加圧成形し、円柱状の圧粉体とした。この圧粉体を金型から取り出す際の抜出力を測定した。その結果を表３に示す。また、得られた圧粉体の密度を測定した。その結果を表３に併せて示す。
【００３６】
表３から明らかなように、発明例は、比較例に比べて抜出力が低かった。
【図面の簡単な説明】
【００３７】
【図１】充填試験機の要部を示す斜視図である。
【図２】多孔質粒子の例を模式的に示す断面図である。
【符号の説明】
【００３８】
１  粉末冶金用鉄基混合粉末
２  粉箱
３  キャビティー
11  多孔質粒子
12  潤滑剤
13  一次微粒子
14  連結したチャンネル構造
【図１】
2008266776.tif 000006
【図２】
2008266776.tif 000007